(57)【要約】【課題】携帯性を確保した上で、外部機器で設定したデータを読み出して離れた位置の第３者が視認できるように表示を行う。【解決手段】データ表示器１は、携帯電話器１１と接続可能な接続コネクタ５、携帯電話器１１が有する内部メモリに記憶されたデータを読み出すデータ読出手段、読み出したデータを記憶する記憶手段、記憶したデータに応じた表示を行う発光ダイオード製の表示部３、及び、人体の腕に装着するベルト４を備える。データ表示器１は、携帯電話器１１が接続コネクタ５に接続されたことを検知して、携帯電話器１１の内部メモリにおける特定領域からデータを読み出す。また、ベルト４により表示部３が見える状態でデータ表示器１を人体の腕に装着して携帯性を確保し、装着状態でも文字によるメッセージの表示を可能にする。【選択図】        図１
2005020620.tif 000002
【特許請求の範囲】
【請求項１】
携帯電話器が有する外部との接続部に接続することが可能なデータ取得器を用いて携帯電話器の記憶部に記憶されているデータを取得するデータ取得方法であって、
前記データ取得器は、
携帯電話器と接続されたか否かを検知し、
携帯電話器と接続されたことを検知した場合、携帯電話器の記憶部よりデータを読み出すことを特徴とするデータ取得方法。
【請求項２】
記憶部を有する外部機器との接続を行う接続手段と、
該接続手段を通じて外部機器の記憶部に記憶されているデータを読み出すデータ読出手段と、
該データ読出手段が読み出したデータを記憶する記憶手段と、
該記憶手段が記憶しているデータに応じた表示を行う表示部と
を備えることを特徴とするデータ表示器。
【請求項３】
前記接続手段及び外部機器の接続を検知する検知手段を更に備え、
前記データ読出手段は、
前記検知手段が接続を検知した場合、データを読み出す構成にしてある請求項２に記載のデータ表示器。
【請求項４】
前記データ読出手段は、
記憶部の全領域から読出対象領域を定めてデータを読み出す構成にしてある請求項２又は請求項３に記載のデータ表示器。
【請求項５】
前記表示部は一度に２０字以下の文字を表示することが可能な発光ダイオードで構成してある請求項２乃至請求項４のいずれかに記載のデータ表示器。
【請求項６】
前記表示部が取り付けてある筐体を更に備え、
該筐体は、前記表示部が露出した状態で人体へ装着することが可能な装着手段を備える請求項２乃至請求項５のいずれかに記載のデータ表示器。
【請求項７】
文字に係るデータを記憶する記憶手段と、
該記憶手段に記憶してあるデータに応じた文字を一度に２０字以下で表示する表示部と、
該表示部が取り付けてある筐体と、
該筐体に設けてあり、前記表示部が露出した状態で人体へ装着することが可能な装着手段と
を備えることを特徴とするデータ表示器。
【発明の詳細な説明】
【０００１】
【発明の属する技術分野】
本発明は、携帯電話器からデータを容易に取得するデータ取得方法、及び、携帯電話器及びＰＤＡ（Ｐｅｒｓｏｎａｌ  Ｄｉｇｉｔａｌ  Ａｓｓｉｓｔａｎｔ）等の機器から取得したデータを離れた位置からでも視認できるように表示するデータ表示器に関する。
【０００２】
【従来の技術】
従来、携帯電話器は氏名及び電話番号等を登録する電話帳的な機能を有する。氏名及び電話番号等の登録は、携帯電話器に設けられた各種キーの操作により入力されたデータが携帯電話器の内部メモリに記憶されることで行われる。内部メモリに記憶されているデータを外部へ取り出すには、携帯電話器にコンピュータ又はデータ取出器等の機器をケーブルで接続し、所要の操作を行うことで携帯電話器からデータを出力させて行うことが多い。
【０００３】
また、従来の携帯電話器は表示用の液晶画面を備えるが、この液晶画面はコンピュータ及びＰＤＡ等が有する画面に比べて小さいため視認性が良好でない。視認性改善のため、携帯電話器に表示用のデータを出力する機能を持たせると共に、液晶画面より大寸法の外部表示器を携帯電話器に接続し、外部表示器でデータを拡大表示することが提案されている（特許文献１〜３参照。）。
【０００４】
一方、文字及び記号等を離れた箇所からでも周囲の者が認識できるように表示させる場合、発光ダイオード製の表示器を用いることが多い。この種の表示器は、一度に表示できる文字数が液晶製の表示部に比べて格段に少ないので、切替表示又はスクロール表示により多数の文字を表示する。なお、表示内容に係るデータは、外部から表示器へ与える方式と、内蔵の記憶装置から読み出す方式とが存在する。
【０００５】
【特許文献１】
特開平１１−２８８２５３号公報
【特許文献２】
特開２００１−２６８１８０号公報
【特許文献３】
特開２００２−３３５１７２号公報
【０００６】
【発明が解決しようとする課題】
コンピュータを用いて携帯電話器の内部メモリからデータを取り出す場合、コンピュータにデータ取出用ソフトウェアをインストールすると共に、内部メモリの記憶範囲から取出範囲を指定するような所要の操作をソフトウェアのプログラミングに従った方式で強いられるため、データ取出に手間を要すると云う問題がある。データ取出用のデータ取出器を用いる場合でも複数の所要操作を行う必要があり、ワンタッチでデータを取り出せないと云う問題がある。
【０００７】
また、外部表示器でのデータ表示は、携帯電話器の液晶画面で表示される内容を拡大して表示する形態に留まるため、離れた箇所に位置する第三者へメッセージを表示するような用途には適さないと云う問題がある。さらに、携帯電話器の液晶画面と同等の表示性を確保するために、外部表示器も液晶画面を用いる必要があり、液晶パネル及び液晶用ＩＣ等によりコストが高くなる問題がある。
【０００８】
発光ダイオード製の表示器は、離れた箇所からでも表示されるメッセージの認識が容易であるが、外部からデータを与える方式又は内部からデータを読み出す方式のいずれであっても表示内容の設定及び変更に手間を要すると云う問題がある。また、発光ダイオード製の表示器は広告及びニュース等の表示用として特定箇所に設置されるものが多く、周囲に位置する者が表示内容を視認できるように表示を行いながら持ち運べる携帯型のものは少ない。よって、騒音等により声の届きにくい状況及び発声できない状況等で離れた位置の第三者へメッセージを表示することで、自身の意思及び指示等を気軽に伝達すると云う用途に対応し得る表示器は存在しないのが実情である。
【０００９】
本発明は、斯かる事情に鑑みてなされたものであり、携帯電話器からデータを容易に取得できるデータ取得方法を提供することを目的とする。
また、本発明は携帯電話器のような記憶部を有する外部機器からデータを取得して表示することにより、表示内容を外部機器で設定可能にすると共に表示内容を容易に変更できるようにしたデータ表示器を提供することを目的とする。
【００１０】
さらに、本発明は、発光ダイオード製の表示部を用いることで、離れた位置の第三者がメッセージ等を視認できるデータ表示器を提供することを目的とする。
さらに、また、本発明は、表示部が見える状態で人体へ装着可能にすることで、表示状態での携帯性も確保したデータ表示器を提供することを目的とする。
【００１１】
【課題を解決するための手段】
第１発明に係るデータ取得方法は、携帯電話器が有する外部との接続部に接続することが可能なデータ取得器を用いて携帯電話器の記憶部に記憶されているデータを取得するデータ取得方法であって、前記データ取得器は、携帯電話器と接続されたか否かを検知し、携帯電話器と接続されたことを検知した場合、携帯電話器の記憶部よりデータを読み出すことを特徴とする。
【００１２】
第１発明にあっては、データ取得器が携帯電話器との接続を検出した場合、データ取得器が内部メモリに記憶されたデータを読み出すので、特別な操作を強いられることなく、ワンタッチで携帯電話器からデータを外部へ取り出せる。また、データ取得はデータ取得器が主となって行うため、携帯電話器には何ら新たな機能を設ける必要がなく、外部からのデータ取得が可能になることで、携帯電話器の利用性を向上して携帯電話器の用途を拡張できる。
【００１３】
第２発明に係るデータ表示器は、記憶部を有する外部機器との接続を行う接続手段と、該接続手段を通じて外部機器の記憶部に記憶されているデータを読み出すデータ読出手段と、該データ読出手段が読み出したデータを記憶する記憶手段と、該記憶手段が記憶しているデータに応じた表示を行う表示部とを備えることを特徴とする。
【００１４】
第２発明にあっては、外部機器の記憶部に記憶されているデータを読み出して表示するので、表示内容の設定及び変更等を従来に比べて容易に行える。また、読み出したデータは一旦、データ表示器自身で記憶し、この記憶したデータに応じた内容を表示するので、データの記憶後はデータ表示器での処理となりデータ表示器の携帯性を確保できる。さらに、外部機器はデータが読み出される側であるため、データ表示器との接続用のインタフェースを備えていればデータ出力に関して特別な機能及び処理を設けることなくデータ読出に対応でき、外部機器は現状の仕様のままで表示内容の設定及び変更等に利用でき用途拡張を図れる。
【００１５】
第３発明に係るデータ表示器は、前記接続手段及び外部機器の接続を検知する検知手段を更に備え、前記データ読出手段は、前記検知手段が接続を検知した場合、データを読み出す構成にしてあることを特徴とする。
第３発明にあっては、検知手段が外部機器との接続を検知した場合にデータを外部機器より読み出すので、データ読出をワンタッチで行うことができ、表示内容に係るデータを容易に取得できる。
【００１６】
第４発明に係るデータ表示器は、前記データ読出手段は、記憶部の全領域から読出対象領域を定めてデータを読み出す構成にしてあることを特徴とする。
第４発明にあっては、外部機器の記憶部の特定の領域を定めてデータを読み出すため、読出箇所が限定されて一段とデータ取出に係る処理を容易且つ高速化できると共に、読出範囲を指定する操作も不要にできる。また、読出対象領域として定める箇所は、例えば、外部機器として使用する携帯電話器の各種登録機能に対応する領域に一致させることで、携帯電話器に新たな機能を設けることなく既存の登録機能を利用して表示内容の設定及び変更等を行うことができる。
【００１７】
第５発明に係るデータ表示器は、前記表示部は一度に２０字以下の文字を表示することが可能な発光ダイオードで構成してあることを特徴とする。
第５発明にあっては、表示部に発光ダイオードを用いることで、離れた位置の第三者に対しても表示される文字の視認性を向上できる。また、発光ダイオードの文字表示能力を２０字以下にすることで、機器寸法を小型化して所要の携帯性を確保できる。なお、データの表示性より携帯性を重視する場合は、発光ダイオードの文字表示能力を１０字以下にすることが好ましく、さらに、携帯性を一段と重要視する場合は、発光ダイオードの文字表示能力を１字又は２字程度にすることが好適である。
【００１８】
第６発明に係るデータ表示器は、前記表示部が取り付けてある筐体を更に備え、該筐体は、前記表示部が露出した状態で人体へ装着することが可能な装着手段を備えることを特徴とする。
第６発明にあっては、表示部を露出状態で人体へ装着できる装着手段を備えることで、データ表示器の携帯状態での使用性を向上でき、データ表示器を把持せずに各種表示を行える。その結果、場所及び状況等に関係なく気軽に表示を行いながら携帯し、第三者へ自身の意思及び指示等の伝達を実現できる。
【００１９】
第７発明に係るデータ表示器は、文字に係るデータを記憶する記憶手段と、該記憶手段に記憶してあるデータに応じた文字を一度に２０字以下で表示する表示部と、該表示部が取り付けてある筐体と、該筐体に設けてあり、前記表示部が露出した状態で人体へ装着することが可能な装着手段とを備えることを特徴とする。
第７発明にあっては、表示文字能力が２０字以下の表示部で記憶内容に応じた文字を表示する構成であるため、データ表示器を小型化して携帯性を確保でき、また、表示部を露出状態で人体へ装着可能にすることで、携帯時での表示性も維持できる。
【００２０】
【発明の実施の形態】
以下、本発明をその実施の形態を示す図面に基づいて説明する。
図１は、本発明の実施形態に係るデータ表示器１と携帯電話器１１との接続状態を示す概略図である。本実施形態のデータ表示器１は人体の腕に装着できる携帯型であり、外部機器に相当する携帯電話器１１より接続コード１５を通じてデータを読み出し、読み出した内容に応じた表示を表示部３で行うものである。
【００２１】
データ表示器１は、厚みが薄いボックス状の筐体２の天面２ａに表示部３を備えると共に一対の側面２ｂ、２ｃに人体への装着手段としてベルト４を取り付けている。ベルト４によりデータ表示器１を人体の腕に装着すると、表示部３が外方へ向いた露出状態となり、この状態でデータ等の表示を可能にしている。また、データ表示器１は、別の側面２ｄには携帯電話器１１との接続手段として接続コネクタ５を設けており、周囲の２つの角部には電源スイッチ１ａ及びリセットスイッチ１ｂを設けている。
【００２２】
一方、データ表示器１に接続される携帯電話器１１は通常のものであり、図２に示すように記憶部として内部メモリ１３を有し、内部メモリ１３にキー１１ｂで入力したデータを記憶できるようにしている。
【００２３】
例えば、内部メモリ１３には、図３（ａ）の液晶画面１１ａに示す携帯電話器１１の一般機能である電話帳登録における氏名、番号（電話番号）、及びグループ等に係る項目のデータを記憶させて登録できる。なお、内部メモリ１３では各機能に係るデータを記憶する領域が機能毎に定めてあり、電話帳登録に係るデータも特定の領域（例えば、アドレスがｘ０００１〜ｘＦ３ＦＦの範囲）に記憶される。また、携帯電話器１１は図１、２に示すように、計６個の接点１２ａ〜１２ｆを有する外部との接続部としてインタフェース部１２を有する。
【００２４】
携帯電話器１１とデータ表示器１とを接続する接続コード１５は、両端部に各機器との接続用のコネクタ１５ｇ、１５ｈを有し、図２に示すように計６本の接続線１５ａ〜１５ｆを束ねて構成されている。
【００２５】
また、データ表示器１は表示部３の表示及び携帯電話器１１からのデータ読込等の制御を行うマイクロコントローラ６、表示部３の一部へ表示出力を行う出力用ＩＣ７、及び、マイクロコントローラ６の駆動用の水晶発振子８を内部に備えている（図２参照）。さらに、データ表示器１は表示部３及びマイクロコントローラ６等の駆動用に内部電源９を備えており、本実施形態では内部電源９にアルカリ乾電池を用いている。なお、図２では電源スイッチ１ａ及びリセットスイッチ１ｂの図示を省略している。
【００２６】
データの表示を行う表示部３は、縦が１６ドット、横が１６ドットの計２５６個のドット発光ダイオードで構成されたドットマトリックスＬＥＤであり、図４（ａ）に示すように、一度に１個の文字（図では「元」）を表示する。なお、表示部３は、ダイナミックドライブ方式により文字を図４（ｂ）の矢印方向へスクロール表示する。また、表示できる文字には絵文字及び記号等も含んでいる。
【００２７】
接続コネクタ５は、計６個の接点５ａ〜５ｆを有しており、接続コード１５で携帯電話器１１と接続された場合、各接点５ａ〜５ｆは接続コード１５の各接続線１５ａ〜１５ｆにより携帯電話器１１のインタフェース部１２の各接点１２ａ〜１２ｆと接続される。これら各接点５ａ〜５ｆの役割は携帯電話器１１の仕様により定められている。
【００２８】
前記仕様に基づき、第１接点５ａはデータ表示器１から外部へのデータ出力用として機能し、以下、第２接点５ｂは外部からのデータ入力用、第３接点５ｃと第４接点５ｄは電圧確認用、第５接点５ｅと第６接点５ｆは電源接続用として夫々機能する。なお、第３接点５ｃ及び第４接点５ｄの電圧は携帯電話器１１との接続時はＬ（ロー）レベルであり、非接続時はＨ（ハイ）レベルになる。
【００２９】
また、マイクロコントローラ６は各種データを記憶する内蔵メモリ６ａ及び複数の入出力ポート等を有すると共に、ＣＰＵ、アナログ／デジタル変換モジュール及びタイマー等として機能する。内蔵メモリ６ａにはデータ表示用のフォント及びプログラム等が記憶されており、このプログラムに従ってマイクロコントローラ６は以下に示すような機能を発揮する。
【００３０】
具体的には、マイクロコントローラ６は検知手段として、接続コネクタ５に携帯電話器１１が接続線１５を介して接続されたか否かを検知する。詳しくは、接続コネクタ５の第３接点５ｃ及び第４接点５ｄの電圧がＬ又はＨのいずれのレベルであるかをマイクロコントローラ６が検知し、Ｌレベルの場合、携帯電話器１１が接続されたと判断する。
【００３１】
また、マイクロコントローラ６はデータ読出手段として、接続コネクタ５を通じて携帯電話器１１の内部メモリ１３に記憶されているデータの読み出しを行う。本実施形態では、マイクロコントローラ６は携帯電話器１１との接続を検知した場合に、携帯電話器１１の内部メモリ１３の全領域の中から電話帳登録に係る領域に定めて「氏名」及び「グループ」の項目に係るデータを読み出す。なお、データの読出は携帯電話器のインタフェース仕様に基づいたコマンド送信によりデータを取得しており、プログラムにより生成したパルスを用いて第１及び第２接点５ａ、５ｆを通じた非同期シリアル通信でデータを読み出す。
【００３２】
さらに、マイクロコントローラ６は読み出したデータを記憶手段に相当する内蔵メモリ６ａに記憶するようにしている。また、マイクロコントローラ６は、内蔵メモリ６ａに記憶した「氏名」の項目に係るデータを、予め内蔵メモリ６ａに記憶しているフォントを用いて表示部３で表示する制御を行う。この際、図４（ａ）（ｂ）に示すように、自身の処理レベル及び内蔵メモリ６ａに記憶した「グループ」の項目に係るデータ（数値）に基づき決定した速度で繰り返しスクロール表示されるように表示制御を行い、この表示制御は出力用ＩＣ７に対しても行う。
【００３３】
また、表示部３での表示開始は、マイクロコントローラ６が接続コネクタ５の第３接点５ｃ及び第４接点５ｄの電圧がＨレベルになったことを検知して、即ち、携帯電話器１１が接続コネクタ５より外されてから行われるように制御されている。なお、マイクロコントローラ６は、電源スイッチ１ａがオンされたときに、割込処理及び信号入力等が禁止された状態となって初期化される。
【００３４】
次に、データ表示器１が携帯電話器１１で登録されたデータを読み出して表示部３で表示すると云う一連の処理を図５のフローチャートに基づいて説明する。なお、処理の開始前に、データ表示器１で表示するメッセージ等に係るデータ及びスクロール速度を、図３（ｂ）に示す携帯電話器１１の電話帳登録機能を利用して予め内部メモリ１３に記憶させているものとする。本処理では表示用メッセージとして「氏名」の項目に「元気ですか？」、及び、スクロール速度として「グループ」の項目に「１０」を夫々記憶させている。
【００３５】
先ず、データ表示器１の電源スイッチ１ａをオンし（Ｓ１）、初期化されたマイクロコントローラ６が接続コネクタ５に携帯電話器１１が接続されたか否かを検知する（Ｓ２）。接続を検知した場合（Ｓ２：ＹＥＳ）、マイクロコントローラ６は携帯電話器１１の内部メモリ１３における電話帳登録機能に応じたデータの記憶領域から「氏名」及び「グループ」の項目に係るデータの読込を行い（Ｓ３）、読み込んだデータを内蔵メモリ６ａに記憶する（Ｓ４）。
【００３６】
次に、マイクロコントローラ６は、接続コネクタ５から携帯電話器１１が外されることで携帯電話器１１と非接続になったかを検知する（Ｓ５）。非接続を検知しない場合（Ｓ５：ＮＯ）、非接続を検知するまでループ状態になる。非接続を検知した場合（Ｓ５：ＹＥＳ）、図４（ａ）（ｂ）に示すように、データ表示器１は記憶したデータ（元気ですか？）を表示部３で表示する（Ｓ６）。表示後は、電源スイッチ１ａがオフされない限り（Ｓ７：ＮＯ）、データ表示（Ｓ６）へ戻り表示を続行し、電源スイッチ１ａがオフされたとき（Ｓ７：ＹＥＳ）、表示を終了する。
【００３７】
一方、携帯電話器１１が接続されたか否かの検知で（Ｓ２）、接続を検知しない場合（Ｓ２：ＮＯ）、以前に携帯電話器１１からデータ読込を行っていたことにより内蔵メモリ６ａに表示用のデータを既に記憶しているときは（Ｓ８：ＹＥＳ）、記憶しているデータを表示する（Ｓ９）。このようなデータの表示後、及び、内蔵メモリ６ａに表示用のデータが記憶されていないときは（Ｓ８：ＮＯ）、電源スイッチ１ａがオフされなければ（Ｓ１０：ＮＯ）、接続検知（Ｓ２）の段階へ戻り、また、電源スイッチ１ａがオフされたときは（Ｓ１０：ＹＥＳ）、処理を終了する。
【００３８】
なお、図５に示すフローチャートにおいて、電源スイッチ１ａのオン（Ｓ１）から携帯電話器１１のデータ読込（Ｓ３）へ至る処理は、携帯電話器１１からデータを取得するデータ取得方法に該当しており、上記処理範囲では、データ表示器１はデータ取得器として機能する。
【００３９】
このようにデータ表示器１は携帯電話器１１の電話帳登録の機能を利用することで表示内容を設定できる。また、表示する内容を変更する場合は、図３（ｂ）の画面で表示内容を変更してからデータ表示器１で再度データを読み出すことにより表示内容も容易に変更でき、特別な操作無しでデータの取得並びに表示内容の設定及び変更を実現できる。さらに、発光ダイオード製の表示部３を用いることで、離れた箇所の第３者へメッセージを表示できる。さらに、またベルト４で人体の腕にデータ表示器１を装着することで、把持しなくてもデータ表示器１を携帯できると共に、表示させたい方向へ腕を向けるだけで容易に各種メッセージ等を周囲に見せることができ、データ表示器１の使用性を従来のものに比べて向上させている。
【００４０】
なお、データ表示器１は上述した形態に限定されるものではなく、種々の変形例の適用が可能である。例えば、図６（ａ）のデータ表示器２０のように、束ねた４本の指に装着できるリング部材２４を装着手段として筐体２２に備えることも可能であり、また、図６（ｂ）のデータ表示器３０のように、首へ掛けるストラップ３４を装着手段として筐体３２に備えるようにしてもよい。さらに、装着手段としてはクリップ及びピン等を有するバッチ型、面ファスナーを有するワッペン型、又は、接着面を有するステッカー型のような形態も適用でき、これらバッチ型、ワッペン型等の装着手段を用いたデータ表示器１を人体が着る衣服及び人体が有するカバン等に表示部３を露出させた状態で取り付けることで、データ表示器１は衣服及びカバン等を介して人体に装着可能になる。さらに、また、装着手段としては表示部３を露出させて人体に装着できるものであれば、上述した形態以外のものも適用可能である。
【００４１】
また、データ表示器１もマイクロコントローラ６を用いる以外に、他の形態のチップを適用でき、例えば、検知手段及びデータ読出手段等として機能するＡＳＩＣ（カスタムＩＣ）を用いてもよい。さらに、データ表示器１の読出手段は電話帳登録機能における氏名の読み方及びメールアドレス等の他の項目に係るデータの記憶領域、又は、電話帳登録機能と相異するメモ帳機能のような他の機能に係るデータの記憶領域からデータを読み出す構成にしてもよい。
【００４２】
さらに、また、文字以外にも、データ表示器１で多様な記号、絵文字、及び、アニメーション等を表示できるように絵文字用のフォント及び図柄等を内蔵メモリ６ａに記憶させるようにしてもよい。また、データ表示器１に各種数字と表示内容とを対応させたテーブルを記憶させると共に、携帯電話器等の外部機器で数字を登録し、この登録した数字をデータ表示器１で読み出して、数字に対応する表示内容を前記テーブルより特定して表示させるようにしてもよい。
【００４３】
さらに、携帯性を維持した上で表示性を高められるように、表示部３は文字を一度に約１０字表示できるようにしてもよく、表示性を重視する場合は一度に表示できる文字を１０字より多くして２０字以下にすることが好適である。また、表示部３は文字の表示は複数行に分けて行うようにしてもよい。なお、表示部３は発光ダイオード以外に、用途に応じて液晶、有機ＥＬ及び電子ペーパー等を適用することも可能である。
【００４４】
また、データ表示器１と携帯電話器１１との接続は、両者の接続インタフェースを適宜変更することによりＩＥＥＥ８０２．１１、ブルートゥース、赤外線通信等の無線で行うことも可能である。さらに、データ取得のセキュリティ性を確保するために、携帯電話器１１では暗証番号を設定して登録すると共にデータ表示器１で登録された暗証番号を読み出して照会を行ってからでないと、データ読出をできないようにしてもよい。
【００４５】
また、データ表示器１は一台のみで用いる以外にも、複数のデータ表示器１を並べた状態で使用することも可能であり、この場合、各データ表示器１の表示内容を連携させることが好ましい。なお、データ表示器１を設置して使用する場合は、装着手段の省略が可能であり、データ表示器１の設置先としては、車両、オートバイ、並びに、建物の外部及び内部等がある。
【００４６】
一方、データ表示器１は接続手段を適宜変更することで、携帯電話器以外に、外部との接続機能及び記憶部を備えたＰＤＡ及びパーソナルコンピュータ等の機器からもデータを読み込んで取得できる。また、データ表示器１が外部機器からのデータ読込を確実に行うためには、外部機器の処理を停止状態にしておくことが好適であり、例えば、携帯電話器のときは、終話キー（オンフックキー）を１回以上押してから数秒後にデータ読込を行うようにすることが好ましい。
【００４７】
【発明の効果】
以上に詳述した如く、第１発明にあっては、携帯電話器との接続を検出して、データ取得器が携帯電話器に記憶されたデータの読出を行うので、携帯電話器からデータを容易に外部へ取り出せるため、携帯電話器の利用性を高められる。
第２発明にあっては、外部機器より読み出したデータに応じた表示を行うので、外部機器側で表示内容を容易に変更でき、また、表示に係るデータは内部で記憶しているため、場所及び状況等に束縛されることなく表示を行える。
【００４８】
第３発明にあっては、外部機器との接続を検知した場合に、データを外部機器より読み出すので、ワンタッチでデータを読み出せる。
第４発明にあっては、データの読み出し箇所が特定されるので、データ読出処理を効率化でき、表示内容を設定する外部機器も新たな機能を設けることなく既存の機能を活用できる。
【００４９】
第５発明にあっては、表示部に発光ダイオードを用いることで、離れた位置の第三者に対して表示された文字メッセージの視認性を向上できる。
第６発明及び第７発明にあっては、表示部を露出状態で人体へ装着できるので、携帯した状態での使用性をさらに向上できる。
【図面の簡単な説明】
【図１】本発明に係るデータ表示器及び携帯電話器の接続状態を示す概略図である。
【図２】データ表示器及び携帯電話器の内部構成図である。
【図３】（ａ）（ｂ）は携帯電話器の電話帳登録に係る画面を示す概略図である。
【図４】（ａ）（ｂ）はデータ表示器の表示状態を示す概略図である。
【図５】データ表示器のデータ取得及び表示処理に係るフローチャートである。
【図６】（ａ）（ｂ）は変形例のデータ表示器の概略図である。
【符号の説明】
１  データ表示器
２  筐体
３  表示部
４  ベルト
５  接続コネクタ
６  マイクロコントローラ
６ａ  内蔵メモリ
１１  携帯電話器
１２  インタフェース部
１３  内部メモリ
１５  接続コード
【図１】
2005020620.tif 000003
【図２】
2005020620.tif 000004
【図３】
2005020620.tif 000005
【図４】
2005020620.tif 000006
【図５】
2005020620.tif 000007
【図６】
2005020620.tif 000008